(57)【要約】【課題】複数のプラントへ命令を送信する場合に、作業者の作業量を削減する。【解決手段】プラント管理装置は、複数のプラントを夫々制御する複数の制御装置にネットワークを介して接続されており、複数の制御装置の何れかに命令する命令情報を送信し、複数の制御装置の何れかにより計測された情報を受信する制御部を備えたプラント管理装置において、命令情報を記憶するための記憶部を更に備える。制御部は、複数の制御装置の中の第１制御装置へ第１命令情報を送信した場合、第１命令情報を記憶部へ保存し、第１命令情報を指定する第１命令情報要求を取得した場合、記憶部から第１命令情報を読み出し、複数の制御装置の中で第１制御装置と異なる第２制御装置へ第１命令情報を送信する。【選択図】図１
2015032259.tif 000002
【特許請求の範囲】
【請求項１】
複数のプラントを夫々制御する複数の制御装置にネットワークを介して接続されており、前記複数の制御装置の何れかに命令する命令情報を送信し、前記複数の制御装置の何れかにより計測された情報を受信する制御部を備えるプラント管理装置において、
前記命令情報を記憶するための記憶部を更に備え、
前記制御部は、前記複数の制御装置の中の第１制御装置へ第１命令情報を送信した場合、前記第１命令情報を前記記憶部へ保存し、前記第１命令情報を指定する第１命令情報要求を取得した場合、前記記憶部から前記第１命令情報を読み出し、前記複数の制御装置の中で前記第１制御装置と異なる第２制御装置へ前記第１命令情報を送信する、
ことを特徴とするプラント管理装置。
【請求項２】
前記制御部は、ユーザからの入力に基づいて前記記憶部の閲覧の要求である第１閲覧要求を取得した場合、前記第１閲覧要求に基づいて前記記憶部から前記第１命令情報を含む命令情報を抽出して第１抽出情報とし、前記第１抽出情報を表示し、前記表示に応じてユーザからの入力を受け付け、前記受け付けられた入力に基づいて前記第１命令情報要求を取得する、
請求項１に記載のプラント管理装置。
【請求項３】
前記制御部は、前記ネットワークを介して前記プラント管理装置に接続されている端末装置から、前記第１制御装置への命令を示す第２命令情報を受信した場合、前記第２命令情報を前記記憶部へ保存する、
請求項２に記載のプラント管理装置。
【請求項４】
前記制御部は、前記第２命令情報を指定する第２命令情報要求を前記端末装置から受信した場合、前記記憶部から前記第２命令情報を読み出し、前記第２制御装置へ前記第２命令情報を送信する、
請求項３に記載のプラント管理装置。
【請求項５】
前記制御部は、前記端末装置から第２閲覧要求を受信した場合、前記第２閲覧要求に基づいて前記記憶部から前記第２命令情報を含む命令情報を抽出して第２抽出情報とし、前記第２抽出情報を前記端末装置へ送信することにより前記第２抽出情報を前記端末装置に表示させ、前記第２命令情報要求を前記端末装置から受信する、
請求項４に記載のプラント管理装置。
【請求項６】
前記第１閲覧要求は、前記第１命令情報の種別を示し、
前記制御部は、前記記憶部から、前記種別に適合する命令情報を抽出して前記第１抽出情報とする、
請求項５に記載のプラント管理装置。
【請求項７】
前記制御部は、前記第１命令情報により改善された不具合の情報を示す不具合情報を生成し、前記不具合情報を前記第１命令情報に関連付けて保存し、
前記第１閲覧要求は、前記不具合情報を示し、
前記制御部は、前記記憶部から、前記不具合情報に関連付けられた命令情報を抽出して前記第１抽出情報とする、
請求項６に記載のプラント管理装置。
【請求項８】
前記命令情報は、前記複数の制御装置の一つの保守と監視と指示との何れかの命令を示す、
請求項７に記載のプラント管理装置。
【請求項９】
前記制御部は、前記第２命令情報を指定する第２命令情報要求を前記端末装置から受信した場合、前記記憶部から前記第２命令情報を読み出し、前記端末装置を介して前記第２制御装置へ前記第２命令情報を送信する、
請求項３に記載のプラント管理装置。
【請求項１０】
前記端末装置は、無線通信を介して前記ネットワークに接続されている、
請求項１乃至９の何れか一項に記載のプラント管理装置。
【請求項１１】
前記端末装置は、前記複数のプラントの一つに設けられている、
請求項１乃至９の何れか一項に記載のプラント管理装置。
【請求項１２】
複数のプラントを夫々制御する複数の制御装置にネットワークを介して接続されたコンピュータが、前記複数の制御装置の中の何れかに命令する命令情報を送信し、前記複数の制御装置の何れかにより計測された情報を受信する、ことを備えたプラント管理方法において、
前記コンピュータが、
前記複数の制御装置の中の第１制御装置へ第１命令情報を送信した場合、前記第１命令情報を記憶部へ保存し、
ユーザからの入力に基づいて前記第１命令情報を指定する第１命令情報要求を取得した場合、前記記憶部から前記第１命令情報を読み出し、前記複数の制御装置の中で前記第１制御装置と異なる第２制御装置へ前記第１命令情報を送信する、
ことを更に備えたことを特徴とするプラント管理方法。
【発明の詳細な説明】
【技術分野】
【０００１】
本発明は、プラントを管理する技術に関する。
【背景技術】
【０００２】
プラント制御端末がネットワークを介して複数のプラントの設備の監視及び制御を行う技術が知られている（特許文献１）。また、プラントを制御する制御装置がＷＷＷ（Ｗｏｒｌｄ  Ｗｉｄｅ  Ｗｅｂ）サーバを有し、マンマシンインターフェース装置がインターネットを介して制御装置のデータを閲覧する技術が知られている（特許文献２）。また、携帯端末がネットワークを介してプラントの監視、操作、調整等を行う技術が知られている（特許文献３）。
【先行技術文献】
【特許文献】
【０００３】
【特許文献１】特開２００２−３４０８１号公報
【特許文献２】特開２００１−１３４３１５号公報
【特許文献３】特開平１１−２０２９３１号公報
【発明の概要】
【発明が解決しようとする課題】
【０００４】
端末装置が複数のプラントと通信できる場合であっても、作業者は端末装置により特定のプラントに対して命令を送信する。従って、複数のプラントへ命令を送信する場合に作業者の作業量が増大する。
【課題を解決するための手段】
【０００５】
上記課題を解決するために、本発明の一態様であるプラント管理装置は、複数のプラントを夫々制御する複数の制御装置にネットワークを介して接続されており、複数の制御装置の何れかに命令する命令情報を送信し、複数の制御装置の何れかにより計測された情報を受信する制御部を備えたプラント管理装置において、命令情報を記憶するための記憶部を更に備える。制御部は、複数の制御装置の中の第１制御装置へ第１命令情報を送信した場合、第１命令情報を記憶部へ保存し、第１命令情報を指定する第１命令情報要求を取得した場合、記憶部から第１命令情報を読み出し、複数の制御装置の中で第１制御装置と異なる第２制御装置へ第１命令情報を送信する。
【発明の効果】
【０００６】
本発明の一態様によれば、複数のプラントへ命令を送信する場合に、作業者の作業量を削減することができる。
【図面の簡単な説明】
【０００７】
【図１】実施例のプラント管理システムの構成を示す。
【図２】命令情報登録処理を示す。
【図３】命令情報提供処理を示す。
【発明を実施するための形態】
【０００８】
以下、本発明の実施例について図面を参照しつつ説明する。
【０００９】
本実施例のプラント管理システムは、発電プラントに対する命令を、別の発電プラントへ適用することにより、電力の安定化と発電プラントの保守性の向上を図る。
【００１０】
図１は、実施例のプラント管理システムの構成を示す。
【００１１】
プラント管理システムは、発電プラント２ａ、２ｂ、２ｃと、中央給電指令所２０と、携帯端末１１とを有する。発電プラント２ａ、２ｂ、２ｃと、中央給電指令所２０とは、外部ネットワーク３１を介して接続されている。
【００１２】
発電プラント２ａは、複数のブロック３２を有する。ブロック３２は、保守ツール３と、ＯＰＳ（Operator  Station）４と、複数の制御装置７とを有する。保守ツール３と、ＯＰＳ４と、複数の制御装置７とは、プラントネットワーク５を介して接続されている。プラントネットワーク５は例えば、光ケーブルを用いるネットワークである。更に、保守ツール３と、ＯＰＳ４は、保守ネットワーク６に接続されている。保守ネットワーク６は例えば、ＬＡＮ（Local  Area  Network）である。更に、プラントネットワーク５は、ルータ４２を介して、保守ネットワーク６に接続されている。保守ネットワーク６は、ルータ４１を介して、外部ネットワーク３１に接続されている。外部ネットワーク３１は例えば、インターネットである。
【００１３】
制御装置７は、発電設備に接続されており、制御ソフトウェアを記憶し、制御ソフトウェアに従って発電設備の計測及び制御を行う。発電設備は例えば、火力発電のためのタービン、ボイラ、弁等である。
【００１４】
保守ツール３は、プラントネットワーク５を介して制御装置７の保守を行う。ここで、保守ツール３は、作業員（ユーザ）による入力に基づいて、制御装置７の制御ソフトウェアの構成や、制御装置７の制御ソフトウェアのパラメータの設定を示す保守情報を、制御装置７へ送信する。制御ソフトウェアの構成は例えば、論理演算の構成により表される。一つのブロック３２内に、複数の保守ツール３が設けられていても良い。
【００１５】
ＯＰＳ４は、プラントネットワーク５及び制御装置７を介してブロック３２内の発電設備の監視及び指示を行う。ここで、ＯＰＳ４は、ブロック３２内の制御装置７による発電設備の計測結果を示す監視情報を制御装置７から受信し、監視情報を表示する。監視情報は例えば、ボイラの温度やタービンの回転数等である。ＯＰＳ４は例えば、監視情報が異常を示す場合に警告を表示する。また、ＯＰＳ４は、作業員による入力に基づき、制御装置７への指示を示す指示情報を送信する。指示情報は例えば、蒸気の弁を開きタービンを回転させる指示や、発電電力量を調整する指示である。一つのブロック３２内に、複数のＯＰＳ４が設けられていても良い。
【００１６】
以下の説明において、保守情報と指示情報を合わせて命令情報と呼ぶ。
【００１７】
発電プラント２ｂ、２ｃにおいて、発電プラント２ａの要素と同一符号が付された要素は発電プラント２ａの要素と同一又は相当物を示す。発電プラント２ｂは、発電プラント２ａと比べて、一つのブロック３２を有しない。発電プラント２ｃは、発電プラント２ｂと比べて、ブロック３２の代わりにブロック３２ｂを有する。ブロック３２ｂは、ブロック３２と比べて、保守ツール３とＯＰＳ４を有しない。以下の説明において、符号のアルファベットによって要素を区別する必要がない場合、アルファベットを省略することがある。
【００１８】
中央給電指令所２０は、計算機システム２１を有する。計算機システム２１は、ルータ４３を介して外部ネットワーク３１に接続されている。
【００１９】
計算機システム２１は、制御部６５と、記憶部６６とを有する。
【００２０】
記憶部６６は、命令情報データベース６４を有する。命令情報データベース６４は、制御装置７へ送信された命令情報を格納する。
【００２１】
制御部６５は、保守ツール処理部６１と、ＯＰＳ処理部６２と、データベース管理部６３とを有する。保守ツール処理部６１は、保守ツール３と同様の処理を実行する。計算機システム２１は、保守ツール３と同様のプログラムを格納し、このプログラムに従って保守ツール処理部６１を実現する。ＯＰＳ処理部６２は、ＯＰＳ４と同様の処理を実行する。計算機システム２１は、ＯＰＳ４と同様のプログラムを格納し、このプログラムに従ってＯＰＳ処理部６２を実現する。
【００２２】
データベース管理部６３は、命令情報データベース６４を管理する。データベース管理部６３は、命令情報データベース６４を管理する。命令情報は、保守ツール３、ＯＰＳ４、保守ツール処理部６１、ＯＰＳ処理部６２等から制御装置７へ送信された情報である。データベース管理部６３は、制御装置７へ送信された命令情報を命令情報データベース６４へ登録し、要求に応じて命令情報データベース６４内の命令情報を要求元へ送信する。
【００２３】
計算機システム２１は、例えばコンピュータである。制御部６５は、例えばマイクロプロセッサである。記憶部６６は、例えばメモリである。メモリは、プログラム及びデータを格納する。このプログラムは、マイクロプロセッサを制御部６５として機能させる。このプログラムは、コンピュータ読み取り可能な媒体に格納されても良く、その媒体からコンピュータへ読み出されても良い。
【００２４】
また、保守ツール３及びＯＰＳ４の夫々は、例えばコンピュータである。コンピュータは、作業者からの入力を受け付ける入力部や、画面を表示する表示部を有していても良い。
【００２５】
計算機システム２１と、保守ツール３と、ＯＰＳ４とは、互いにリモート操作を実行することができる。これにより、発電プラント２の外部からその発電プラント２の保守、監視、指示を行うことができる。
【００２６】
携帯端末１１は、タブレット端末やスマートフォン等である。携帯端末１１は、携帯電話回線を介して外部ネットワーク３１に接続されている。保守ネットワーク６に無線ＬＡＮが接続されている場合、発電プラント２内の携帯端末１１は、無線ＬＡＮを介して保守ネットワーク６に接続しても良い。中央給電指令所２０内に無線ＬＡＮが接続されている場合、中央給電指令所２０内に携帯端末１１は、無線ＬＡＮを介して計算機システム２１に接続しても良い。携帯端末１１は、プラント管理システムへ容易に追加されることができる。
【００２７】
携帯端末１１は、計算機システム２１、保守ツール３、ＯＰＳ４のリモート操作を実行することができる。これにより、携帯端末１１は、計算機システム２１、保守ツール３、ＯＰＳ４の何れかの装置と同様の表示や入力を行うことができ、その装置を介して制御装置７と通信することができる。従って、作業者の場所に関わらず発電プラント２の保守、監視、指示を行うことができる。なお、携帯端末１１が保守ツール処理部６１及びＯＰＳ処理部６２と同様のプログラムを格納することにより、保守ツール処理部６１及びＯＰＳ処理部６２と同様の機能を有していても良い。
【００２８】
計算機システム２１に対して複数の作業者がアクセスした場合、当該装置は、その装置を最後に操作した作業者にアクセス権を与える。保守ツール３とＯＰＳ４へのアクセスについても計算機システム２１と同様に処理する。
【００２９】
計算機システム２１が保守ツール処理部６１及びＯＰＳ処理部６２を有することにより、発電プラント２ｃのように、保守ツール３及びＯＰＳ４を省くことができる。これにより、発電プラント２のコストや作業員を削減することができる。また、計算機システム２１の処理能力を保守ツール３及びＯＰＳ４の処理能力より高くすることにより、複数の発電プラント２の保守、監視、指示を行うことができる。
【００３０】
以下、データベース管理部６３の動作について説明する。
【００３１】
データベース管理部６３は、命令情報データベース６４へ命令情報を登録する命令情報登録処理と、命令情報データベース６４内の命令情報を提供する命令情報提供処理とを実行する。
【００３２】
図２は、命令情報登録処理を示す。
【００３３】
保守ツール処理部６１、ＯＰＳ処理部６２、保守ツール３、ＯＰＳ４の何れかの機能が、作業者からの入力に基づいて命令情報を生成し、命令情報を制御装置７へ送信する場合、この機能を命令情報生成機能と呼ぶ。この図は、データベース管理部６３と、命令情報生成機能と、制御装置７の動作を示す。
【００３４】
命令情報生成機能は、制御装置７へ命令情報を送信する（Ｓ１１０）。命令情報生成機能は、データベース管理部６３へ命令情報を出力する（Ｓ１２０）。命令情報生成機能が計算機システム２１外にある場合、ネットワークを介してデータベース管理部６３へ命令情報を送信する。その後、データベース管理部６３は、命令情報を取得すると、命令情報を命令情報データベース６４へ登録する（Ｓ１３０）。
【００３５】
以上が命令情報登録処理である。この処理によれば、発電プラント２ａ、２ｂ、２ｃ内の制御装置７へ送信された命令情報を共有することができる。
【００３６】
命令情報生成機能は、命令情報を制御装置７へ送信し、その命令情報により不具合が改善した場合、作業者からの入力に基づいてその不具合を示す不具合情報を生成し、不具合情報と命令情報をデータベース管理部６３へ送信しても良い。この場合、データベース管理部６３は、不具合情報と命令情報とを関連付けて命令情報データベース６４へ登録する。
【００３７】
なお、保守ツール３、ＯＰＳ４、保守ツール処理部６１、ＯＰＳ処理部６２の何れかが制御装置７へ命令情報を送信する場合、データベース管理部６３が命令情報を中継しても良い。これにより、データベース管理部６３は、受信された命令情報を命令情報データベース６４へ登録する。
【００３８】
図３は、命令情報提供処理を示す。
【００３９】
保守ツール３、ＯＰＳ４、保守ツール処理部６１、ＯＰＳ処理部６２の何れかの機能が、命令情報データベース６４内の命令情報を利用する場合、この機能を命令情報利用機能とする。この図は、データベース管理部６３と、命令情報利用機能と、制御装置７の動作を示す。
【００４０】
命令情報利用機能は、作業者からの入力に基づいて命令情報データベース６４の閲覧要求をデータベース管理部６３へ出力する（Ｓ２１０）。これにより、データベース管理部６３は、閲覧要求を取得する。命令情報利用機能が計算機システム２１外にある場合、ネットワークを介してデータベース管理部６３へ閲覧要求を送信する。命令情報利用機能は例えば、命令情報の条件である命令情報条件を指定し、命令情報条件を閲覧要求に含めても良い。
【００４１】
その後、データベース管理部６３は、閲覧要求に基づいて命令情報データベース６４から命令情報を抽出して抽出情報とし、抽出情報を命令情報利用機能へ出力する（Ｓ２２０）。抽出情報は例えば、命令情報条件に適合する命令情報の一覧である。これに応じて、命令情報利用機能は、抽出情報を取得し、抽出情報を表示する。
【００４２】
命令情報条件は例えば、保守情報や指示情報等、命令情報の種別を示す。例えば、命令情報の種別は、命令情報利用機能の種別に対応し、保守ツール３や保守ツール処理部６１であるか、ＯＰＳ４やＯＰＳ処理部６２であるかを示す。これにより、データベース管理部６３は、命令情報利用機能の種別に対応した命令情報を抽出することができる。
【００４３】
また、命令情報条件は、不具合情報であっても良い。この場合、命令情報利用機能は、不具合情報を指定する。そして、抽出情報は、指定された不具合情報に対応する命令情報である。これにより、データベース管理部６３は、改善すべき不具合に対応する命令情報を抽出することができる。
【００４４】
命令情報利用機能は、抽出情報に基づいて、作業者からの入力による命令情報の指定を受け付け、指定された命令情報の送信を要求する命令情報要求をデータベース管理部６３へ出力する（Ｓ２３０）。これにより、データベース管理部６３は、命令情報要求を取得する。その後、データベース管理部６３は、命令情報要求により指定された命令情報を命令情報データベース６４から取得し、取得された命令情報を命令情報利用機能へ出力する（Ｓ２４０）。これに応じて、命令情報利用機能は、出力された命令情報を取得し、その命令情報を制御装置７へ送信する（Ｓ２５０）。なお、命令情報要求は、制御装置７を指定しても良い。この場合、データベース管理部６３は、指定された命令情報を直接、指定された制御装置７へ送信しても良い。また、データベース管理部６３が命令情報を種別に応じて保守ツール処理部６１及びＯＰＳ処理部６２の何れかの機能へ出力し、その機能が命令情報を制御装置７へ送信しても良い。また、命令情報要求は、複数の制御装置７を指定しても良い。データベース管理部６３が、指定された命令情報を命令情報利用機能へ出力することにより、命令情報利用機能を操作する作業者が命令情報の送信を確認することができる。
【００４５】
以上が命令情報提供処理である。
【００４６】
以下、命令情報登録処理及び命令情報提供処理の具体例について説明する。
【００４７】
発電プラント２ａ内の制御装置７における不具合に対し、作業者が携帯端末１１により計算機システム２１の保守ツール処理部６１をリモート操作し、当該制御装置７の新たな制御ソフトウェアの構成を示す命令情報を作成し、その命令情報を当該制御装置７へ送信し、不具合が改善したとする。保守ツール処理部６１は、その命令情報をデータベース管理部６３へ出力する。これにより、その命令情報が命令情報データベース６４に登録される。その後、作業者が携帯端末１１を介して保守ツール処理部６１をリモート操作することにより、保守ツール処理部６１は閲覧要求をデータベース管理部６３へ出力する。データベース管理部６３は保守に適する命令情報を取得し、保守ツール処理部６１は取得された命令情報を携帯端末１１に表示させる。作業者は、表示された命令情報において不具合を改善した命令情報を指定することにより、保守ツール処理部６１は、命令情報要求をデータベース管理部６３へ出力する。データベース管理部６３は、指定された命令情報を保守ツール処理部６１へ出力する。保守ツール処理部６１は、命令情報を取得し、その命令情報を発電プラント２ｂ、２ｃ内の制御装置７へ送信する。これにより、作業者は、発電プラント２ａに対して行った改善策を、発電プラント２ｂ、２ｃに対して容易に適用することができる。
【００４８】
この処理によれば、制御装置７へ送信された命令情報を、再利用することができる。これにより、或る制御装置７の不具合を改善した命令情報を、別の制御装置７へ送信することができる。従って、同様の不具合が複数の制御装置７や、複数のブロック３２や、複数の発電プラント２で発生している場合、一つの制御装置７に対する命令情報の効果を確認した後に、別の制御装置７に対して容易に適用することができる。これにより、発電プラント２の不具合の改善を効率化することができる。また、計算機システム２１の作業者だけでなく、発電プラント２内の保守ツール３やＯＰＳ４の作業者や、携帯端末１１の作業者も、命令情報登録処理及び命令情報提供処理を行うことができる。
【００４９】
命令情報条件を命令情報の種別とすることにより、データベース管理部６３は、命令情報利用機能の種別に応じて命令情報を抽出することができる。命令情報条件を不具合情報とすることにより、データベース管理部６３は、対処すべき不具合に応じて命令情報を抽出することができる。
【００５０】
本実施例によれば、中央給電指令所２０における計算機システム２１が複数の発電プラント２の保守、監視、指示を行うことができる。これにより、複数の発電プラント２全体の状況を確認し、複数の発電プラント２を制御することができる。また、計算機システム２１や携帯端末１１が、保守ツール３及びＯＰＳ４の機能を有することにより、発電プラント２から保守ツール３及びＯＰＳ４を省くことができる。発電プラント２に対する命令情報を、他の発電プラント２へ適用することにより、複数の発電プラント２の保守性を向上させることができる。また、発電プラント２内の保守ツール３やＯＰＳ４が制御装置７へ命令情報を送信し、その命令情報を計算機システム２１へ送信することにより、保守ツール３やＯＰＳ４に障害が発生した場合でも、計算機システム２１に保存された命令情報を用いて発電プラント２を制御することができる。
【００５１】
また、或る発電プラント２の外の計算機システム２１、保守ツール３、ＯＰＳ４から、その発電プラント２の保守、監視、指示を行うことができる。また、作業者は携帯端末１１を操作することにより、操作する場所に関わらず発電プラント２の保守、監視、指示を行うことができる。これにより、複数の発電プラント２に配置する作業員の数を削減することができる。
【００５２】
以上の実施例で説明された技術は、次のように表現することもできる。
（表現１）
複数のプラントを夫々制御する複数の制御装置にネットワークを介して接続されており、前記複数の制御装置の何れかに命令する命令情報を送信し、前記複数の制御装置の何れかにより計測された情報を受信する制御部を備えるプラント管理装置において、
前記命令情報を記憶するための記憶部を更に備え、
前記制御部は、前記複数の制御装置の中の第１制御装置へ第１命令情報を送信した場合、前記第１命令情報を前記記憶部へ保存し、前記第１命令情報を指定する第１命令情報要求を取得した場合、前記記憶部から前記第１命令情報を読み出し、前記複数の制御装置の中で前記第１制御装置と異なる第２制御装置へ前記第１命令情報を送信する、
ことを特徴とするプラント管理装置。
（表現２）
前記制御部は、ユーザからの入力に基づいて前記記憶部の閲覧の要求である第１閲覧要求を取得した場合、前記第１閲覧要求に基づいて前記記憶部から前記第１命令情報を含む命令情報を抽出して第１抽出情報とし、前記第１抽出情報を表示し、前記表示に応じてユーザからの入力を受け付け、前記受け付けられた入力に基づいて前記第１命令情報要求を取得する、
表現１に記載のプラント管理装置。
（表現３）
前記制御部は、前記ネットワークを介して前記プラント管理装置に接続されている端末装置から、前記第１制御装置への命令を示す第２命令情報を受信した場合、前記第２命令情報を前記記憶部へ保存する、
表現２に記載のプラント管理装置。
（表現４）
前記制御部は、前記第２命令情報を指定する第２命令情報要求を前記端末装置から受信した場合、前記記憶部から前記第２命令情報を読み出し、前記第２制御装置へ前記第２命令情報を送信する、
表現３に記載のプラント管理装置。
（表現５）
前記制御部は、前記端末装置から第２閲覧要求を受信した場合、前記第２閲覧要求に基づいて前記記憶部から前記第２命令情報を含む命令情報を抽出して第２抽出情報とし、前記第２抽出情報を前記端末装置へ送信することにより前記第２抽出情報を前記端末装置に表示させ、前記第２命令情報要求を前記端末装置から受信する、
表現４に記載のプラント管理装置。
（表現６）
前記第１閲覧要求は、前記第１命令情報の種別を示し、
前記制御部は、前記記憶部から、前記種別に適合する命令情報を抽出して前記第１抽出情報とする、
表現５に記載のプラント管理装置。
（表現７）
前記制御部は、前記第１命令情報により改善された不具合の情報を示す不具合情報を生成し、前記不具合情報を前記第１命令情報に関連付けて保存し、
前記第１閲覧要求は、前記不具合情報を示し、
前記制御部は、前記記憶部から、前記不具合情報に関連付けられた命令情報を抽出して前記第１抽出情報とする、
表現６に記載のプラント管理装置。
（表現８）
前記命令情報は、前記複数の制御装置の一つの保守と監視と指示との何れかの命令を示す、
表現７に記載のプラント管理装置。
（表現９）
前記制御部は、前記第２命令情報を指定する第２命令情報要求を前記端末装置から受信した場合、前記記憶部から前記第２命令情報を読み出し、前記端末装置を介して前記第２制御装置へ前記第２命令情報を送信する、
表現３に記載のプラント管理装置。
（表現１０）
前記端末装置は、無線通信を介して前記ネットワークに接続されている、
表現１乃至９の何れか一項に記載のプラント管理装置。
（表現１１）
前記端末装置は、前記複数のプラントの一つに設けられている、
表現１乃至９の何れか一項に記載のプラント管理装置。
（表現１２）
複数のプラントを夫々制御する複数の制御装置にネットワークを介して接続されたコンピュータが、前記複数の制御装置の中の何れかに命令する命令情報を送信し、前記複数の制御装置の何れかにより計測された情報を受信する、ことを備えたプラント管理方法において、
前記コンピュータが、
前記複数の制御装置の中の第１制御装置へ第１命令情報を送信した場合、前記第１命令情報を記憶部へ保存し、
ユーザからの入力に基づいて前記第１命令情報を指定する第１命令情報要求を取得した場合、前記記憶部から前記第１命令情報を読み出し、前記複数の制御装置の中で前記第１制御装置と異なる第２制御装置へ前記第１命令情報を送信する、
ことを更に備えたことを特徴とするプラント管理方法。
【００５３】
以上の表現における用語について説明する。計算機システム２１等を、プラント管理装置と呼ぶことがある。携帯端末１１、保守ツール３、ＯＰＳ４等を、端末装置と呼ぶことがある。
【００５４】
本発明は、以上の実施例に限定されるものでなく、その趣旨から逸脱しない範囲で、他の様々な形に変更することができる。
【符号の説明】
【００５５】
１：プラント管理システム、  ２、２ａ、２ｂ、２ｃ：発電プラント、  ３：保守ツール、  ４：ＯＰＳ、  ５：プラントネットワーク、  ６：保守ネットワーク、  ７：制御装置、  １１：携帯端末、  ２０：中央給電指令所、  ２１：計算機システム、  ３１：外部ネットワーク、  ３２：ブロック、  ４１、４２、４３：ルータ、  ６１：保守ツール処理部、  ６２：ＯＰＳ処理部、  ６３：データベース管理部、  ６４：命令情報データベース、  ６５：制御部、  ６６：記憶部
【図１】
2015032259.tif 000003
【図２】
2015032259.tif 000004
【図３】
2015032259.tif 000005